(57)【要約】      （修正有）【課題】生産現場での先入れ先出しを確実に実現するために、多種多様の電子部品を整理・管理できる電子部品リール保管ケースを提供する。【解決手段】縦に積み重ねられる電子部品リール保管ケースで１あり、取出口７からリールを１枚しか取り出せない構造と、リールをケース前面４にフック８により立て掛けて取出口を塞ぐことにより、先入れ先出しを確実に実現する。【選択図】図１
2011168318.tif 000002
【特許請求の範囲】
【請求項１】
上下面が電子部品リールと同等の大きさの角柱または円柱の形状をしている電子部品リール保管ケースであり、ケースを縦に積み重ねて固定するための上面四隅の連結用突起と、下面四隅同位置の前記連結用突起が入る大きさの連結用穴と、取り付け取り外せる前面パネルと、前記前面パネルの下端からの高さがリール１枚以上２枚以下の厚みにしてリールを１枚しか取り出せない構造にしてあるリール置き台と、前記前面パネル上方のリールを入れるための受入口と、前記前面パネル下方のリールを取り出すための取出口と、前記取出口を塞ぐために前記取出口下方に設け、リール２枚を２点で支えてケース前面に立て掛けるためのフックと、からなる電子部品リール保管ケース。
【請求項２】
前記連結用突起と前記連結用穴が前記電子部品リール保管ケースを縦に積み重ねて勘合するために、突起と穴の位置、形状、個数に制限を設けない請求項１の電子部品リール保管ケース。
【請求項３】
前記連結用突起と前記連結用穴がない請求項１の電子部品リール保管ケース。
【請求項４】
前記前面パネルを左右一方に開く構造とするために、一端を留金と他端を蝶番で該ケースに取り付けた請求項１乃至３の電子部品リール保管ケース。
【請求項５】
前記リール置き台が上にリールを積み重ねるために、ケースと切り離し可能な形状である請求項１乃至４の電子部品リール保管ケース。
【請求項６】
該ケース前面に立て掛けたリールが前記取出口を塞ぐ状態になるために、前記フックが３点以上でリールを支える形状とした請求項１乃至５の電子部品リール保管ケース。
【請求項７】
該ケース前面に立て掛けたリールが前記取出口を塞ぐ状態になるために、前記フックが前記取出口下方ではなく前記前面パネルに設けてある請求項１乃至６の電子部品リール保管ケース。
【請求項８】
指を差し込めるようにするために、前記取出口下方の指差入スペースとリール置き台前端のＵ字状またはＶ字状の切り欠けと、がある請求項１乃至７の電子部品リール保管ケース。
【発明の詳細な説明】
【技術分野】
【０００１】
本発明は、電子部品等をロール状にテープリールに装着したものを工場等において使用する場合のそれらテープリールの保管に関するものである。
【背景技術】
【０００２】
電子部品は時間経過につれてはんだ不良等の問題が発生しやすくなるため、保管期限が定められている。また、不具合は新規ロットにて発生しやすい。よって、先入れ先出しによる管理が重要である。特許文献１において、上から入れ下から取り出す構造による先入れ先出しの実現が開示されているが、多種多様の電子部品を整理・管理する生産現場には適していない。
【先行技術文献】
【特許文献】
【０００３】
【特許文献１】特開２００２−６８３６３
【発明の概要】
【発明が解決しようとする課題】
【０００４】
特許文献１の発明形状ではケースの上部からリールを入れるので上部を空けておく必要があり、更にこのケースの背面から部品を入れる構造とも考えられ、ケースを積み重ねることも壁に面して並べることもできない。１リール取り出して使用後、残部品が残る場合、そのリールを保管する場所がないため整理し辛く、管理が杜撰になって新しいリールを使ってしまうことや、もっと悪いことには上へ入れ込んでしまうこともあり、先入れ先出しができなくなってしまう。また、部品種類ごとにケースを用意するため、ケース１つ１つに部品名を書き込まないと収納部品を識別できない。
【課題を解決するための手段】
【０００５】
本発明は上記の課題を解決するため以下の手段を取っている。
本発明は、上下面が電子部品リールと同等の大きさの角柱または円柱の形状をしている電子部品リール保管ケース１であり、ケースを縦に積み重ねて固定するための上面四隅の連結用突起２と、下面四隅同位置の前記連結用突起２が入る大きさの連結用穴３と、取り付け取り外せる前面パネル４と、前記前面パネル４の下端からの高さがリール１枚以上２枚以下の厚みにしてリールを１枚しか取り出せない構造にしてあるリール置き台５と、前記前面パネル４上方のリールを入れるための受入口６と、前記前面パネル４下方のリールを取り出すための取出口７と、前記取出口７を塞ぐために前記取出口７下方に設け、リール２枚を２点で支えてケース前面に立て掛けるためのフック８と、からなる電子部品リール保管ケース１である。
【０００６】
本発明は、前記の電子部品リール保管ケース１に対し、以下の手段を付加した発明でもある。
【０００７】
前記連結用突起２と前記連結用穴３が前記電子部品リール保管ケース１を縦に積み重ねて勘合するために、突起と穴の位置、形状、個数に制限を設けない前記電子部品リール保管ケース１である。
【０００８】
前記連結用突起２と前記連結用穴３がない前記電子部品リール保管ケース１である。
【０００９】
前記前面パネル４はケース内の電子部品リールを複数枚取り出すために取り付け取り外せる構造であり、左右一方に開く構造とするために一端を留金９と他端を蝶番１０で前記前面パネル４を該ケースに取り付けた前記電子部品リール保管ケース１である。
【００１０】
前記リール置き台５が上にリールを積み重ねるために、ケースと切り離し可能な形状である前記電子部品リール保管ケース１である。
【００１１】
前面に立て掛けたリールが前記取出口７を塞ぐ状態になるために、前記フック８が３点以上でリールを支える形状とした前記電子部品リール保管ケース１である。      
【００１２】
前面に立て掛けたリールが前記取出口７を塞ぐ状態になるために、前記フック８が前記取出口７下方ではなく、前記前面パネル４に設けてある前記電子部品リール保管ケース１である。
【００１３】
指を差し込めるようにするために、前記取出口７下方の指差入スペース１１と、リール置き台５前端のＵ字状またはＶ字状の切り欠け１２と、がある前記電子部品リール保管ケース１である。
【発明の効果】
【００１４】
上記の手段を用いることによって、ケース前面側でリールの出し入れを行うことができるため、壁に面してケースを横に並べられ、しかも複数個のケースを縦に積み重ねて固定することができる。これにより、多種多様の電子部品を整理・管理する生産現場に対応できる。
【００１５】
また、使用中のリールを保管するため、前面にリールを２枚立て掛けるフック８を設け、使用中のリールで取出口７を塞ぐことにより確実に先入れ先出しを実現するとともに、リール貼付の品番表示１３を利用して部品管理を行うことができる。
【図面の簡単な説明】
【００１６】
【図１】本発明の実施一例を示す斜視図である。
【図２】本発明の実施一例を示す下面図である。
【図３】本発明の実施一例を示す斜視図である。
【図４】本発明の別の実施一例を示す斜視図である。
【図５】本発明の別の実施一例を示す斜視図である。
【図６】本発明の実施一例を示す斜視図である。
【図７】本発明の別の実施一例を示す正面図である。
【図８】本発明の別の実施一例を示す正面図である。
【発明を実施するための形態】
【００１７】
図１に、本発明の実施例を示す。本発明は、電子部品リールを収納するので、上下面がリールと同等の大きさの角柱または円柱のケースとなる。
【００１８】
上面四隅にはそれぞれに連結用突起２を設け、図２に示すように、下面の四隅同位置には連結用突起２が入る大きさの連結用穴３が設けてある。図３に示すように、連結用突起２を別ケースの連結用穴３に嵌め込むことで複数個のケースを縦に積み重ねて固定することができる。ケースを固定できるならば突起および穴の位置と形状と個数には制限がないし、図４に示すように突起と穴を設ける位置が逆でもよい。
【００１９】
ケース前面上方には受入口６を設ける。受入口６はリール１枚以上の大きさにしてあり、新規入荷時にはここからリールを入れる。ケース内部に保管したリールはリール置き台５に積み重ねる。図５に示すように、リール置き台５はリールを積み重ねることができればどのような形状でもよい。リール置き台５は図１乃至４ではケース前面下部と一体化している構造だが、図５の例ではケースと切り離し可能な形状としても表現してある。
【００２０】
また、ケース前面下方には取出口７を設け、ここからリールを取り出す。前面パネル４の下端からリール置き台５までの高さはリール１枚の厚み以上２枚の厚み以下にして１枚しか取り出せない構造にしてあり、リール置き台５に積み重ねているリールのうち最下段の１枚のみを取り出す。これによって、ケース内に保管しているリールのうち最も古い物を１枚だけ取り出すようにして確実な先入れ先出しを実現している。
【００２１】
また、取出口７の下には指差入スペース１１を設け、リール置き台５には切り欠け１２が設けてある。これらはリールの取り出し易さを考慮したものである。
【００２２】
前面にはリールを２点で支えるフック８が設けてある。図６に示すように、フック８にはリール１枚目１４とリール２枚目１５を立て掛ける。２枚立て掛ける理由は、１枚を部品自動実装器にセットしても残り１枚のリール貼付の品番表示１３で部品名を表示し、部品管理を行うことができるからである。立て掛けたリールは取出口７を塞ぐ状態になるので、新たなリールを取り出すことができないようにして確実な先入れ先出しを実現している。
フック８は図７に示すように、３点以上でリールを支える形状であってもよいし、図８に示すように前面パネルに設けてあってもよい。要はリールで取出口７を塞げればよいのである。
【００２３】
本発明のケースにおいてリールを使用する際には、前面に立て掛けたリール２枚のうち残量少ない方であるリール１枚目１４を使用する。リール１枚目１４から部品を使い切ったときは、空になったリール１枚目１４を廃棄し、フック８に立て掛けてあるリール２枚目１５を使用する。代わりに取出口７から新しいリールを１枚取り出し、フック８に立て掛ける。使用後のリール１枚目１４に部品が残っているときは、リール１枚目１４をフック８に立て掛けて返却する。このように取り扱うことによって、常に電子部品リール保管ケース１の前面にリールが立て掛けられた状態になるので、リール貼付の品番表示１３を利用してケースに保管している部品名の表示を行うとともに先入れ先出しを実現している。
【００２４】
前面パネル４の一端には留金９、多端には蝶番１０があり、開閉できる構造になっている。これによって、前面パネル４を開けて複数枚のリールを一度に入れ替えることもでき、ケースに保管する部品の変更を容易にしている。しかしながら、前面パネル４はケース本体と接続されていなくともよく、取り付け取り外せる構造になっていればよい。
【００２５】
ケースの材質は積み重ねに耐えうるなら何でもよい。
【符号の説明】
【００２６】
１  電子部品リール保管ケース
２  連結用突起
３  連結用穴
４  前面パネル
５  リール置き台
６  受入口
７  取出口
８  フック
９  留金
１０  蝶番
１１  指差入スペース
１２  切り欠け
１３  リール貼付の品番表示
１４  リール１枚目
１５  リール２枚目
【図１】
2011168318.tif 000003
【図２】
2011168318.tif 000004
【図３】
2011168318.tif 000005
【図４】
2011168318.tif 000006
【図５】
2011168318.tif 000007
【図６】
2011168318.tif 000008
【図７】
2011168318.tif 000009
【図８】
2011168318.tif 000010